(57)【要約】【課題】  一対の通信装置がそれぞれ自律的に送信電力制御を行う機能を有する場合にも、受信側の通信装置の送信電力を固定値とする。【解決手段】  送信電力を制御する送信電力制御機能を有する通信装置において、通信装置の動作状態を判定する。ここで、通信装置がデータ送信側と判定した場合には送信電力制御機能を有効にするように制御し、またデータ受信側と判定した場合には送信電力制御機能を無効にするように制御する。【選択図】      図３
2007295125.tif 000002
【特許請求の範囲】
【請求項１】
送信電力を制御する送信電力制御機能を有する通信装置であって、
通信装置の動作状態を判定する判定手段と、
前記判定手段での判定結果に応じて前記送信電力を制御する制御手段と、
を有することを特徴とする通信装置。
【請求項２】
前記判定手段は、前記通信装置がデータ送信側かデータ受信側かを判定し、
前記制御手段は、前記判定手段により前記通信装置がデータ送信側と判定した場合には前記送信電力制御機能を有効にするように制御し、データ受信側と判定した場合には前記送信電力制御機能を無効にするように制御することを特徴とする請求項１記載の通信装置。
【請求項３】
前記データ受信側と判定した場合に、前記データ送信側からのデータ受信終了後、前記送信電力制御機能を有効にするように制御することを特徴とする請求項２記載の通信装置。
【請求項４】
前記判定手段は、前記通信装置がデータ送信側かデータ受信側かを判定し、
前記制御手段は、前記送信電力の設定値を変更し、前記送信電力を制御することを特徴とすることを特徴とする請求項１記載の通信装置。
【請求項５】
前記設定手段は、前記設定値を固定値或いは固定値の近傍の値に変更することを特徴とする請求項４記載の通信装置。
【請求項６】
前記判定手段は、前記通信装置間で使用するデータ転送プロトコルのメッセージを解読し、前記解読結果に応じて前記送信電力を制御することを特徴とする請求項１記載の通信装置。
【請求項７】
前記判定手段は、ユーザインターフェースによるユーザの指定に応じて前記送信電力を制御することを特徴とする請求項１記載の通信装置。
【請求項８】
前記判定手段は、前記通信装置の通信相手が制御装置であるネットワーク形態か否かを判別し、
前記制御手段は、前記判定手段により前記通信装置の通信相手が制御装置であるネットワーク形態と判定した場合には前記送信電力制御機能を有効にするように制御することを特徴とする請求項１記載の通信装置。
【請求項９】
送信電力を制御する送信電力制御機能を有する通信装置の送信電力制御方法であって、
通信装置の動作状態を判定する判定工程と、
前記判定工程での判定結果に応じて前記送信電力を制御する制御工程と、
を有することを特徴とする通信装置の送信電力制御方法。
【請求項１０】
請求項９記載の通信制御装置の送信電力制御方法をコンピュータに実行させるためのプログラム。
【請求項１１】
請求項１０記載のプログラムを記録したコンピュータ読み取り可能な記録媒体。
【発明の詳細な説明】
【技術分野】
【０００１】
本発明は、通信装置の送信電力制御に関するものである。
【背景技術】
【０００２】
バッテリ駆動の通信装置における送信電力の制御は、既に公衆無線等で実現されており、通信装置の駆動時間の長期化を実現している。また、その制御方法においても様々な方式が提案されている。例えば特許文献１には、上位局が移動局に最適な送信電力制御信号を送信し、移動局はその信号に従い従属的に自身の送信電力を制御することが記載されている。
【０００３】
また、ＰＴＰ（Picture Transfer Protocol）は、カメラコントロールによる画像転送プロトコルである。ＰＴＰセッションの確立を要求する側をイニシエータ（Initiator）、要求に応答する側をレスポンダ（Responder）という。ＰＴＰセッションが開設された後は、イニシエータが動作を要求し、レスポンダが応答する、コマンド−レスポンス型の通信が行われる。このＰＴＰプロトコルは、例えばデジタルスチルカメラ（以下ＤＳＣ）やプリンタで広く利用されている。
【特許文献１】特開平９−３２６７５４号公報
【発明の開示】
【発明が解決しようとする課題】
【０００４】
上述の公衆無線のように、通信装置が制御局の指示に従い従属的に送信電力を制御する場合には、通信装置は送信電力を必要最小限にすることが可能である。また、通信装置が自律的に送信電力を制御する場合であっても、通信相手の送信電力が固定であれば、通信装置は同様に送信電力を低減することができる。
【０００５】
しかしながら、一対の通信装置（例えば、無線ＬＡＮ内蔵ＤＳＣ）がそれぞれ自律的に送信電力制御を行う場合、各通信装置の送信電力が過大、或いは過小となる場合があり、消費電力の増大や通信ができなくなる、という問題がある。例えば、IEEE 802.11b準拠の無線ＬＡＮの場合、送信側の通信装置が送信する最大データパケットの時間的な長さは、受信側の通信装置が送信する確認応答パケットの時間的な長さの８倍程度である。従って、送信側の通信装置の消費電力が過大になることは、省電力の観点から問題となる。
【０００６】
本発明は、一対の通信装置がそれぞれ自律的に送信電力制御を行う機能を有する場合にも、効率的な送信電力制御を行うことを目的とする。
【課題を解決するための手段】
【０００７】
本発明は、送信電力を制御する送信電力制御機能を有する通信装置であって、通信装置の動作状態を判定する判定手段と、前記判定手段での判定結果に応じて前記送信電力を制御する制御手段とを有することを特徴とする。
【０００８】
また、本発明は、送信電力を制御する送信電力制御機能を有する通信装置の送信電力制御方法であって、通信装置の動作状態を判定する判定工程と、前記判定工程での判定結果に応じて前記送信電力を制御する制御工程とを有することを特徴とする。
【発明の効果】
【０００９】
本発明によれば、一対の通信装置がそれぞれ自律的に送信電力制御を行う機能を有する場合にも、効率的な送信電力制御を行うことができる。
【発明を実施するための最良の形態】
【００１０】
以下、図面を参照しながら発明を実施するための最良の形態について詳細に説明する。
【００１１】
［第１の実施形態］
図１は、第１の実施形態における通信システムの構成の一例を示す図である。この通信システムでは、通信装置である２台のデジタルスチルカメラ（ＤＳＣ）１００、１０１が無線ＬＡＮのアドホックモードで接続されている。また、ＤＳＣ１００、１０１は、それぞれ通信プロトコルとしてＰＴＰを使用し、この例ではＤＳＣ１００からＤＳＣ１０１へ画像データ１０２を送信する。
【００１２】
ここで、図１に示すＤＳＣ１００、１０１のハードウェア構成について説明する。尚、ＤＳＣ１００、１０１は同じ構成である。
【００１３】
図２は、デジタルスチルカメラ（ＤＳＣ）の構成の一例を示す図である。図２において、２００は液晶画面とキー又はタッチパネルなどで構成されるユーザインターフェースであり、ユーザがＤＳＣを制御するためのインターフェースである。２０１はＣＰＵであり、後述するＲＯＭに格納されたプログラムに従ってＤＳＣ全体を制御する。２０２は撮像部であり、不図示のＣＣＤによって光電変換された画像データを入力する。
【００１４】
２０３はＲＯＭであり、ＣＰＵ２０１が実行するプログラムやデータを格納するメモリである。また、ＲＯＭ２０３において、２０４はＤＳＣ制御部であり、ＤＳＣ全体を制御するプログラムが格納されている。２０５は無線ＬＡＮ制御部であり、無線ＬＡＮを制御するプログラムが格納されている。２０６はＰＴＰ制御部であり、ＰＴＰを制御するプログラムが格納されている。
【００１５】
２０７はＲＡＭであり、ＣＰＵ２０１のための作業領域や詳細は後述する各種レジスタが定義されているメモリである。また、ＲＡＭ２０７において、２０８は無線ＬＡＮ管理レジスタであり、無線ＬＡＮの状態を管理するレジスタである。２０９はＰＴＰ管理レジスタであり、ＰＴＰの状態を管理するレジスタである。
【００１６】
２１０は無線部であり、IEEE 802.11x準拠のアドホックモードで接続される他のＤＳＣとの間の無線通信を制御する。
【００１７】
また、上述のＲＯＭ２０３内に格納されている各種プログラムはＲＡＭ２０７内に展開され、ＣＰＵ２０１が展開されたプログラムを実行する。
【００１８】
以上の構成において、図３、図４を用いて、ＤＳＣ１００の画像データ１０２をＤＳＣ１０１へ送信する際の第１の実施形態における送信電力制御について説明する。
【００１９】
図３は、第１の実施形態における送信電力制御を示すフローチャートである。図４は、第１の実施形態におけるＤＳＣ１００とＤＳＣ１０１間で行われるシーケンスを示す図である。
【００２０】
まず、ステップＳ３００において、ＤＳＣ１００のユーザがユーザインターフェース部２００を操作し、ＤＳＣ１０１との無線ＬＡＮ接続を選択する。そして、ＤＳＣ１００のＤＳＣ制御部２０４が無線ＬＡＮ制御部２０５に対してＤＳＣ１０１との無線ＬＡＮ接続開始（４００）を指示する。これにより、無線ＬＡＮ制御部２０５がＤＳＣ１０１の無線ＬＡＮ制御部２０５に対して接続要求（４０１）を行う。ここで、接続要求（４０１）はＤＳＣ１００からＤＳＣ１０１へ無線部２１０を介して送信される。
【００２１】
尚、ＤＳＣ１００とＤＳＣ１０１との間の無線通信は、それぞれの無線部２１０により行われるものであり、以下の説明では省略する。
【００２２】
一方、ＤＳＣ１０１の無線ＬＡＮ制御部２０５がＤＳＣ１００から接続要求（４０１）を受信すると、ＤＳＣ１００に対して接続応答（＝成功）（４０２）を送信する。これにより、無線ＬＡＮ接続が完了する。
【００２３】
次に、無線ＬＡＮ接続が完了すると、ステップＳ３０１へ進み、ＤＳＣ１００のＤＳＣ制御部２０４はＰＴＰ制御部２０６に対してＰＴＰ接続開始（４０３）を指示する。これにより、ＰＴＰ制御部２０６が指示に従ってＤＳＣ１０１のＰＴＰ制御部２０６に対してＰＴＰセッション開設要求（４０４）を行う。
【００２４】
一方、ＤＳＣ１０１のＰＴＰ制御部２０６がＤＳＣ１００からのＰＴＰセッション開設要求（４０４）を受信すると、ＤＳＣ１００に対してＰＴＰセッション開始要求（４０４）に対するＰＴＰセッション開設要求応答（４０５）を行う。これにより、ＤＳＣ１００のＰＴＰ制御部２０６とＤＳＣ１０１のＰＴＰ制御部２０６間にＰＴＰセッションが開設される。
【００２５】
上述のＰＴＰ接続により、ＤＳＣ１００がイニシエータ、ＤＳＣ１０１がレスポンダとなり、ＰＴＰプロトコルによる通信がＤＳＣ１００、１０１の間で行われる。
【００２６】
ここで、ＰＴＰセッション開設後のＤＳＣ１００の動作は次のようになる。まず、ＤＳＣ１００のユーザがユーザインターフェース部２００を操作し、ＤＳＣ１０１へ送信する画像データ１０２を選択する。ＰＴＰ制御部２０６はＤＳＣ１０１のＰＴＰ制御部２０６に対して画像データ送信通知（４０６）を行う。これにより、ＰＴＰ制御部２０６は自身が通知した通知（４０６）を解読することにより、ＤＳＣ１００がデータ送信側であると判定する（Ｓ３０２のＹＥＳ、４０７）。
【００２７】
次に、ＰＴＰ制御部２０６がＰＴＰ管理レジスタ２０９にデータ送信側である旨を記憶する（Ｓ３０３）。そして、無線ＬＡＮ制御部２０５が無線ＬＡＮ管理レジスタ２０８を参照し、送信電力制御機能が有効か否かを判定する（Ｓ３０４）。ここで、無効であれば（Ｓ３０４のＮＯ）、無線ＬＡＮ管理レジスタ２０８に送信電力制御機能が有効である旨を記憶し（Ｓ３０５）、送信電力制御機能を有効にする（Ｓ３０６、４０９）。そして、ＤＳＣ１００のＰＴＰ制御部２０６がＤＳＣ１０１に対して画像データ１０２の送信開始（４１１）を行う。その後、画像データ１０２の送信が終了すると、画像データ送信終了（４１２）を行う。
【００２８】
一方、ＤＳＣ１０１のＰＴＰ制御部２０６が画像データ送信通知（４０６）を受信すると、画像データ送信通知（４０６）を解読し、ＤＳＣ１０１がデータ受信側であると判定する（Ｓ３０２、４０８）。
【００２９】
次に、ＰＴＰ制御部２０６がＰＴＰ管理レジスタ２０９にデータ受信側である旨を記憶する（Ｓ３０７）。そして、無線ＬＡＮ制御部２０５が無線ＬＡＮ管理レジスタ２０８を参照し、送信電力制御機能が有効か否かを判定する（Ｓ３０８）。ここで、有効であれば（Ｓ３０８のＹＥＳ）、無線ＬＡＮ管理レジスタ２０８に送信電力制御機能が無効である旨を記憶し（Ｓ３０９）、送信電力制御機能を無効にする（Ｓ３１０、４１０）。そして、ＤＳＣ１０１のＰＴＰ制御部２０６が送信開始（４１１）を受信し、画像データ１０２の受信終了（４１２）すると（Ｓ３１１）、画像データ受信終了（４１３）を無線ＬＡＮ制御部２０５に通知する。ここで、通知を受けた無線ＬＡＮ制御部２０５は、無線ＬＡＮ管理レジスタ２０８に送信電力制御機能が有効である旨を記憶し（Ｓ３１２）、送信電力制御機能を有効にする（Ｓ３１３）。
【００３０】
また、ＤＳＣ１０１の送信電力制御機能が無効（Ｓ３０８でＮＯ）の場合は、そのまま画像データ１０２の受信処理へ進み、受信終了を判定する（Ｓ３１１）。
【００３１】
以上のように、通信プロトコル（ＰＴＰ）によりデータの送信側又は受信側を判定し、データ送信側であれば送信電力制御機能を有効にし、データ受信側では送信電力制御機能を無効にする。これにより、データ受信側であるＤＳＣ１０１の送信電力はデータ受信中は固定となり、データ送信側であるＤＳＣ１００の送信電力が過大、或いは過小になる、という問題を解決できる。また、データ受信側であるＤＳＣ１０１は、データ受信が終了すると送信電力制御機能を有効とすることにより、データ受信中でなければ、消費電力を低減することが可能となる。
【００３２】
また、ＤＳＣの製品仕様がＰＴＰにおけるイニシエータがデータ送信側、レスポンダが画像データ受信側になる仕様の場合を考える。この場合、ＤＳＣ１００、１０２がＰＴＰセッション開設要求（４０４）、ＰＴＰセッション開設要求応答（４０５）を解読することにより、画像データの送信側又は受信側を判定することも可能である。
【００３３】
尚、第１の実施形態では、１対のＤＳＣによるシステムを想定し、通信プロトコルとしてＰＴＰを例に挙げ説明したが、これはＤＳＣ以外の通信装置でもよく、通信プロトコルもＦＴＰ等の他のものでも良い。
【００３４】
［第２の実施形態］
次に、図面を参照しながら本発明に係る第２の実施形態について詳細に説明する。ここで、本発明の目的のためには、データ受信側の通信装置の送信電力が固定値であることが重要である。第１の実施形態では、データ受信側の通信装置の送信電力を固定とする方法として、「送信電力制御機能を無効にする」という方法を例に挙げた。第２の実施形態では送信電力を設定するレジスタを更新することにより、データ受信側の送信電力を固定とする方法を説明する。
【００３５】
尚、第２の実施形態における通信システム及びＤＳＣの構成は、図１を用いて説明した第１の実施形態と同じであり、その説明は省略する。
【００３６】
ここで、図５〜図９を用いて、ＤＳＣ１００の画像データ１０２をＤＳＣ１０１へ送信する際の第２の実施形態における送信電力制御について説明する。
【００３７】
図５は、第２の実施形態における送信電力制御レジスタの設定値の一例を示す図である。尚、図５に示す送信電力制御レジスタは、送信電力制御機能に関連し、無線ＬＡＮ管理レジスタ２０８に含まれる。また、送信電力制御レジスタには、送信電力を段階的に制御するためのパラメータと設定値５００とが対応付けて設定される。
【００３８】
図５に示す例では、送信電力をPower0、Power1、Power2の３段階で規定しており、設定値５００としてそれぞれＰ０、Ｐ１、Ｐ２が記憶されている（Ｐ０＜Ｐ１＜Ｐ２）。
【００３９】
図６は、送信電力制御機能における通信品質と送信電力との関係を示す図である。図６において、横軸は通信品質であり、値が大きくなるにつれて通信品質が悪くなる。また、縦軸は送信電力の大きさであり、Ｐ２が一番大きい電力である。図６に示すように、送信電力制御機能としては、通信品質が悪くなるにつれて、送信電力を大きくしていることがわかる。
【００４０】
図７は、第２の実施形態における送信電力制御を示すフローチャートである。図８は、第２の実施形態におけるＤＳＣ１００とＤＳＣ１０１間で行われるシーケンスを示す図である。図９は、第２の実施形態における送信電力制御レジスタの設定値の一例を示す図である。尚、第１の実施形態で説明した部分に関しては、同一の符号を付し、詳細な説明は省略する。
【００４１】
まず、第１の実施形態と同様に、ＤＳＣ１００及びＤＳＣ１０１間で無線接続が行われ（Ｓ３００、４００〜４０２）、ＰＴＰ接続が行われる（Ｓ３０２、４０３〜４０５）。そして、ＰＴＰセッションが開設され、ＤＳＣ１００からＤＳＣ１０１へ画像データ送信通知（４０６）が行われる。これにより、ＤＳＣ１０１のＰＴＰ制御部２０６は、自身がデータ受信側であると判定する（Ｓ３０２のＮＯ、４０８）。
【００４２】
次に、ステップＳ３０７において、ＰＴＰ管理レジスタ２０９にデータ受信側である旨を記憶する。そして、ＤＳＣ１０１の無線ＬＡＮ制御部２０５が無線ＬＡＮ管理レジスタ２０８内の送信電力制御レジスタを参照し、現在の送信電力制御が適正か否かを判定する（Ｓ７０２）。ここで、送信電力制御レジスタが図５に示す設定値５００の場合は、図６に示すように、通信品質によって送信電力が変動してしまうため、現在の送信電力制御が適正でないと判定する。これにより、無線ＬＡＮ制御部２０５は送信電力制御レジスタの設定値を図９に示す設定値９００のように更新する（Ｓ７０３、８０１）。
【００４３】
図９に示す送信電力制御レジスタの設定値９００によれば、パラメータPower0、Power1、Power2が共に設定値Ｐ２に設定され同一であるため、送信電力は固定される。
【００４４】
次に、ＤＳＣ１０１の無線ＬＡＮ制御部２０５が、画像データ１０２の受信終了を認識すると（Ｓ３１１のＹＥＳ）、送信電力制御レジスタの設定値を図５に示す設定値５００のように再度更新する（Ｓ７０４、８０２）。これにより、ＤＳＣ１０１は、画像データの受信が終了すると、送信電力制御機能を有効に機能させ、消費電力を低減させることができる。
【００４５】
一方、ＤＳＣ１００のＰＴＰ制御部２０６が、自身がデータ送信側であると判定すると、ステップＳ３０３において、ＰＴＰ管理レジスタ２０９に自身がデータ送信側である旨を記憶する。そして、無線ＬＡＮ制御部２０５が無線ＬＡＮ管理レジスタ２０８内の送信電力制御レジスタを参照する。ここで、送信電力制御レジスタの設定値が図９に示す設定値９００のように、全て同一の値であった場合、送信電力を低減させることができない。従って、無線ＬＡＮ制御部２０５は、送信電力制御レジスタの設定値が適正でないと判定する（Ｓ７００のＮＯ）。そして、送信電力制御レジスタの設定値を、図５に示す設定値５００のように更新する（Ｓ７０１）。これにより、ＤＳＣ１００は、図６に示すように、通信品質によって送信電力を低減させることが可能となる。
【００４６】
以上のように、第２の実施形態では、データの受信側では送信電力が変動しないように制御することで、データ受信側であるＤＳＣ１０１の送信電力は、データ受信中は固定となる。従って、データ送信側であるＤＳＣ１００の送信電電力が過大、或いは過小になる、という問題を解決できる。また、データ受信側であるＤＳＣ１０１は、データ受信が終了すると送信電力を低減することにより、データ受信中でなければ、消費電力を低減することが可能となる。
【００４７】
第２の実施形態では、ＤＳＣ１０１はデータ受信時に送信電力が固定値になるように、送信電力制御レジスタの設定値を設定していた（Ｓ７０３）。しかし、特定の値の近傍（例えばPower1=P2、Power2=P2+0.1、Power3=P2-0.1）に設定することによっても、同様の効果が得られることは明白である。
【００４８】
また、第１及び第１の実施形態では、通信プロトコル（ＰＴＰ）に基づいて、データの送信側かデータ受信側かを判定していた。しかし、この判定はユーザインターフェース部２００の不図示の送信ボタンの押下や受信ボタンの押下によっても可能であることは言うまでもない。
【００４９】
［第３の実施形態］
次に、図面を参照しながら本発明に係る第３の実施形態について詳細に説明する。第１の実施形態では、アドホックモードを前提に説明したが、インフラストラクチャモードの場合においても、同様の効果が得られる。第１の実施形態と同様の部分に関しては、同一の符号を付し、詳細な説明は省略する。
【００５０】
尚、ネットワーク形態がインフラストラクチャモードの場合、アクセスポイントとの間で行われる通信制御は公知のもので良く、詳細な説明は省略する。
【００５１】
図１０は、第１の実施形態における送信電力制御を示すフローチャートである。まず、第１の実施形態と同様に、ＤＳＣ１００及び１０１の無線ＬＡＮ制御部２０５が無線接続を行い（Ｓ３００）、アクセスポイントが含まれるネットワーク（インフラストラクチャモード）であるか否かを判定する（Ｓ１０００）。この判定は、接続相手がアクセスポイントの場合はアクセスポイントが含まれるネットワークと判定する方法、ユーザがインフラストラクチャモードでの接続を操作部より指示した場合はアクセスポイントが含まれるネットワークと判定する方法などによる。この判定の結果、アクセスポイントが含まれるネットワークであれば、ＤＳＣ１００及び１０１の通信相手はアクセスポイントであり、その送信電力は固定値である。
【００５２】
従って、ＤＳＣ１００及びＤＳＣ１０１はステップＳ３０４へ進み、送信電力制御機能が有効でなければ、無線ＬＡＮ管理レジスタを更新し（Ｓ３０５）、送信電力制御機能を有効にする（Ｓ３０６）。これにより、好適に消費電力を低減することが可能となる。
【００５３】
尚、ステップＳ１０００の判定処理は、無線接続の際に、アクセスポイントが発信するビーコンを受信し、アクセスポイントと接続関係を確立したかに応じて判定するか、通信パラメータによって予め設定しておいても良い。
【００５４】
また、アクセスポイントが含まれるネットワークでなければ、第１の実施形態と同様に、ステップＳ３０１以降の処理を実行する。
【００５５】
［他の実施形態］
上述の実施形態の機能を実現するソフトウェアのプログラムコードを記録した記録媒体をシステム或いは装置に供給し、そのシステム或いは装置のコンピュータ（ＣＰＵ若しくはＭＰＵ）が記録媒体に格納されたプログラムコードを読出し実行する。これによっても、本発明の目的が達成されることは言うまでもない。
【００５６】
この場合、記録媒体から読出されたプログラムコード自体が前述した実施形態の機能を実現することになり、そのプログラムコードを記憶した記録媒体は本発明を構成することになる。
【００５７】
このプログラムコードを供給するための記録媒体として、例えばフレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５８】
また、コンピュータが読出したプログラムコードを実行することにより、前述した実施形態の機能が実現されるだけでなく、次の場合も含まれることは言うまでもない。即ち、プログラムコードの指示に基づき、コンピュータ上で稼働しているＯＳ（オペレーティングシステム）などが実際の処理の一部又は全部を行い、その処理により前述した実施形態の機能が実現される場合である。
【００５９】
更に、記録媒体から読出されたプログラムコードがコンピュータに挿入された機能拡張ボードやコンピュータに接続された機能拡張ユニットに備わるメモリに書込む。その後、そのプログラムコードの指示に基づき、その機能拡張ボードや機能拡張ユニットに備わるＣＰＵなどが実際の処理の一部又は全部を行い、その処理により前述した実施形態の機能が実現される場合も含まれることは言うまでもない。
【図面の簡単な説明】
【００６０】
【図１】第１の実施形態における通信システムの構成の一例を示す図である。
【図２】デジタルスチルカメラ（ＤＳＣ）の構成の一例を示す図である。
【図３】第１の実施形態における送信電力制御を示すフローチャートである。
【図４】第１の実施形態におけるＤＳＣ１００とＤＳＣ１０１間で行われるシーケンスを示す図である。
【図５】第２の実施形態における送信電力制御レジスタの設定値の一例を示す図である。
【図６】送信電力制御機能における通信品質と送信電力との関係を示す図である。
【図７】第２の実施形態における送信電力制御を示すフローチャートである。
【図８】第２の実施形態におけるＤＳＣ１００とＤＳＣ１０１間で行われるシーケンスを示す図である。
【図９】第２の実施形態における送信電力制御レジスタの設定値の一例を示す図である。
【図１０】第１の実施形態における送信電力制御を示すフローチャートである。
【符号の説明】
【００６１】
１０１  デジタルカメラ
１０２  デジタルカメラ
２００  ユーザインターフェース部
２０１  ＣＰＵ
２０２  撮像部
２０３  ＲＯＭ
２０４  ＤＳＣ制御部
２０５  無線ＬＡＮ制御部
２０６  ＰＴＰ制御部
２０７  ＲＡＭ
２０８  無線ＬＡＮ管理レジスタ
２０９  ＰＴＰ管理レジスタ
２１０  無線部
【図１】
2007295125.tif 000003
【図２】
2007295125.tif 000004
【図３】
2007295125.tif 000005
【図４】
2007295125.tif 000006
【図５】
2007295125.tif 000007
【図６】
2007295125.tif 000008
【図７】
2007295125.tif 000009
【図８】
2007295125.tif 000010
【図９】
2007295125.tif 000011
【図１０】
2007295125.tif 000012